(57)【要約】      （修正有）【課題】かご戸とかご床との間に気密装置である可撓性部材の不均一な変形に起因する振動音を防止し、快適性に優れたエレベーター装置を提供する。【解決手段】乗りかご内の気圧を制御する気圧制御装置と、パネル部材１０ａ、１０ｂのうちの一方の下端部とかご床１４との間に形成される第１の対向隙間１６に配置されかごシル１５に設けられたガイド溝２２に沿ってかご戸８の移動をガイドするドアシューブラケット１９とドアシューブラケット１９をかご戸８へ固定するブラケット固定板１２と、乗りかごの内側に位置するパネル部材の他方の下端部とかご床１４との間に形成される第２の対向隙間１７に配置され気圧変動に応じて弾性変形する可撓性部材により密閉する気密装置２４とを備えブラケット固定板１２は、可撓性部材の長手方向における変形をほぼ一様にする気流を乗りかごの外部から気密装置２４に向かって形成する開口２３を有することを特徴とする。【選択図】図３
2019006563.tif 000002
【特許請求の範囲】
【請求項１】
乗客が乗降する乗りかごと、
前記乗りかご内の気圧を制御する気圧制御装置と、
対向配置した一対のパネル部材を有して構成され、前記乗りかごの乗降口を開閉するかご戸と、
前記乗りかごのかご床に設けられ、前記かご戸の移動をガイドするかごシルと、
前記パネル部材のうちの一方の下端部と前記かご床との間に形成される第１の対向隙間に配置され、前記かごシルに設けられたガイド溝に沿って前記かご戸の移動をガイドするドアシューブラケットと、
前記ドアシューブラケットを前記かご戸へ固定するブラケット固定板と、
前記乗りかごの内側に位置する前記パネル部材の他方の下端部と前記かご床との間に形成される第２の対向隙間に配置され、気圧変動に応じて弾性変形する可撓性部材により密閉する気密装置と、を備え、
前記ブラケット固定板は、前記可撓性部材の長手方向における変形をほぼ一様にする気流を前記乗りかごの外部から前記気密装置に向かって形成する開口を有することを特徴とするエレベーター装置。
【請求項２】
請求項１に記載のエレベーター装置であって、
前記開口は、前記ブラケット固定板の前記ドアシューブラケット近傍に、前記第１の対向隙間の長手方向に沿って離散的に複数形成されることを特徴とするエレベーター装置。
【請求項３】
請求項１または２に記載のエレベーター装置であって、
前記可撓性部材は、前記乗りかごの内側に折り返し部を配置した断面略くの字状の折り返し部を有することを特徴とするエレベーター装置。
【請求項４】
請求項１から３のいずれか１項に記載のエレベーター装置であって、
前記気圧制御装置は、前記乗りかごの天井に設けられた排気ブロアであることを特徴とするエレベーター装置。
【請求項５】
乗客が乗降する乗りかごと、
前記乗りかご内の気圧を制御する気圧制御装置と、
対向配置した一対のパネル部材を有して構成され、前記乗りかごの乗降口を開閉するかご戸と、
前記乗りかごのかご床に設けられ、前記かご戸の移動をガイドするかごシルと、
前記パネル部材のうちの一方の下端部と前記かご床との間に形成される第１の対向隙間に配置され、前記かごシルに設けられたガイド溝に沿って前記かご戸の移動をガイドするドアシューブラケットと、
前記ドアシューブラケットを前記かご戸へ固定するブラケット固定板と、
前記乗りかごの内側に位置する前記パネル部材の他方の下端部と前記かご床との間に形成される第２の対向隙間に配置され、気圧変動に応じて弾性変形する可撓性部材により密閉する気密装置と、を備え、
前記ブラケット固定板は、前記可撓性部材の長手方向における変形をほぼ一様にする気流を前記乗りかごの内部から前記気密装置に向かって形成する開口を有することを特徴とするエレベーター装置。
【請求項６】
請求項５に記載のエレベーター装置であって、
前記開口は、前記ブラケット固定板の前記ドアシューブラケット近傍に、前記第１の対向隙間の長手方向に沿って離散的に複数形成されることを特徴とするエレベーター装置。
【請求項７】
請求項５または６に記載のエレベーター装置であって、
前記可撓性部材は、前記乗りかごの内側に折り返し部を配置した断面略くの字状の折り返し部を有することを特徴とするエレベーター装置。
【請求項８】
請求項５から７のいずれか１項に記載のエレベーター装置であって、
前記気圧制御装置は、前記乗りかごの天井に設けられた吸気ブロアであることを特徴とするエレベーター装置。
【発明の詳細な説明】
【技術分野】
【０００１】
本発明は、エレベーター装置の乗りかごの構造に係り、特に、乗りかご内の気圧を制御する気圧制御装置を備えたエレベーター装置に適用して有効な技術に関する。
【背景技術】
【０００２】
エレベーターは乗客が密閉された空間内で移動する移動手段であるため、乗客が不安を抱く原因となる振動や騒音をできるだけ小さくすることが要求される。また、周囲の快適性の観点からも、エレベーター走行時の振動や騒音はできるだけ小さいほうが望ましい。
【０００３】
一方、超高層ビルの建設の増加に伴い、エレベーターにはさらなる高速化が求められている。高速エレベーターの特有の問題として、かごが昇降路内を高速で走行するときに引き起こされるかご周りの空気流の乱れや圧力差によって生じる音、いわゆる風音がある。風音のエネルギーはエレベーターの走行速度に対して指数関数的に増加することが知られており、特に超高層ビル向けの超高速エレベーターでは風音対策が重要な技術となる。
【０００４】
本技術分野の背景技術として、例えば、特開２００３−８１５６１号公報（特許文献１）がある。この公報には、「昇降路内を昇降する乗りかご及びつり合いおもりを吊持する主ロープと、前記主ロープを巻き上げる巻上機と、前記乗りかご内の気圧を制御する気圧制御装置を有するエレベーター装置であって、前記乗りかごは、出入口を開閉するかご戸と、かご床に設けられ前記かご戸の移動を案内するかごシルと、前記かご戸の下端に設けられ前記気圧制御装置による加圧及び／又は減圧に応じて弾性変形する可撓性部材により、前記かご戸の下端と前記かごシル間の間隙を密閉する気密装置と、を有することを特徴とするエレベーター装置」が記載されている。
【先行技術文献】
【特許文献】
【０００５】
【特許文献１】特開２００３−８１５６１号公報
【発明の概要】
【発明が解決しようとする課題】
【０００６】
従来の一般的なエレベーター装置では、上記特許文献１のように、かご戸の下端とかごシル間の間隙を密閉するように可撓性部材を配置し、この可撓性部材を圧力差によって変形させることで、かご室内の気密性を高める構造を採用しているが、可撓性部材の長手方向全体で均一な変形を得ることができないことに起因して可撓性部材の振動によって振動音（異常音）が発生する場合があることが分かった。
【０００７】
そこで、本発明の目的は、かご戸とかご床との間に気密装置である可撓性部材が配置されるエレベーター装置において、可撓性部材の不均一な変形に起因する振動音を防止し、快適性に優れたエレベーター装置を提供することにある。
【課題を解決するための手段】
【０００８】
上記課題を解決するために、本発明は、乗客が乗降する乗りかごと、前記乗りかご内の気圧を制御する気圧制御装置と、対向配置した一対のパネル部材を有して構成され、前記乗りかごの乗降口を開閉するかご戸と、前記乗りかごのかご床に設けられ、前記かご戸の移動をガイドするかごシルと、前記パネル部材のうちの一方の下端部と前記かご床との間に形成される第１の対向隙間に配置され、前記かごシルに設けられたガイド溝に沿って前記かご戸の移動をガイドするドアシューブラケットと、前記ドアシューブラケットを前記かご戸へ固定するブラケット固定板と、前記乗りかごの内側に位置する前記パネル部材の他方の下端部と前記かご床との間に形成される第２の対向隙間に配置され、気圧変動に応じて弾性変形する可撓性部材により密閉する気密装置と、を備え、前記ブラケット固定板は、前記可撓性部材の長手方向における変形をほぼ一様にする気流を前記乗りかごの外部から前記気密装置に向かって形成する開口を有することを特徴とする。
【０００９】
また、本発明は、乗客が乗降する乗りかごと、前記乗りかご内の気圧を制御する気圧制御装置と、対向配置した一対のパネル部材を有して構成され、前記乗りかごの乗降口を開閉するかご戸と、前記乗りかごのかご床に設けられ、前記かご戸の移動をガイドするかごシルと、前記パネル部材のうちの一方の下端部と前記かご床との間に形成される第１の対向隙間に配置され、前記かごシルに設けられたガイド溝に沿って前記かご戸の移動をガイドするドアシューブラケットと、前記ドアシューブラケットを前記かご戸へ固定するブラケット固定板と、前記乗りかごの内側に位置する前記パネル部材の他方の下端部と前記かご床との間に形成される第２の対向隙間に配置され、気圧変動に応じて弾性変形する可撓性部材により密閉する気密装置と、を備え、前記ブラケット固定板は、前記可撓性部材の長手方向における変形をほぼ一様にする気流を前記乗りかごの内部から前記気密装置に向かって形成する開口を有することを特徴とする。
【発明の効果】
【００１０】
本発明によれば、かご戸とかご床との間に気密装置である可撓性部材が配置されるエレベーター装置において、可撓性部材の不均一な変形に起因する振動音を防止し、快適性に優れたエレベーター装置を実現できる。
【００１１】
なお、上述した以外の課題、構成および効果は、以下の実施形態の説明により明らかにされる。
【図面の簡単な説明】
【００１２】
【図１】本発明の一実施形態に係るエレベーター装置の概略構成図である。
【図２】図１における乗りかご７の外観を示す斜視図である。
【図３】図１における乗りかご７のかご戸８の下部を示す一部断面図である。
【図４】図３における気密装置２４周辺の拡大図である。
【図５】図３におけるパネル部材１０ａの正面図（Ａ−Ａ’方向矢視図）である。
【発明を実施するための形態】
【００１３】
以下、図面を用いて本発明の実施例を説明する。なお、各図面において、同一の構成については同一の符号を付し、重複する部分についてはその詳細な説明は省略する。
【実施例１】
【００１４】
先ず、図１を参照して、本発明の対象となるエレベーター装置について説明する。図１は、本実施例のエレベーター装置の概略構成図である。
【００１５】
昇降路１の頂部部分に形成された機械室２内には、複数本の主ロープ４を巻き掛けたシーブを有した巻上機３が床面に固定されている。このシーブから延びた主ロープ４の一端は、反らせプーリ５を介してつり合いおもり６の上端に連結され、また主ロープ４の他端は乗りかご７の上部に連結されている。乗りかご７には開閉可能なかご戸８が設けられており、乗りかご７が停止階に停止した後、かご戸８および乗場ドア３２が開き、乗客が乗りかご７に乗降する。かご戸８の下部側には後述する複数の開口２３が配置されている。
【００１６】
なお、本実施例では、図１に示すように、昇降路の上部に機械室が配置されるトラクション式のエレベーターの例を用いて説明するが、本発明の適用範囲はこれに限定されるものではなく、制御盤等を昇降路内に配置する機械室レスタイプのトラクション式エレベーターや巻胴（ドラム）にロープを巻き付ける巻胴式エレベーター、リニアモーター式エレベーター等も発明の対象に含まれる。
【００１７】
図２は、図１に示すエレベーター装置の要部である乗りかご７の外観を示す斜視図である。乗りかご７は、前面側に出入口用のかご戸８を有し、その天井外部には吸気ブロア及び排気ブロアなどを備えた気圧制御装置９が設けられている。この気圧制御装置９は、乗りかご７が昇降路１内を昇降する際に、吸気ブロア及び排気ブロアなどを制御して乗りかご７内の加圧及び減圧を行い、単位時間あたりの気圧の変化量を一定に保ち、乗りかご７内の乗客に対して気圧変化による不快感を与えないようにしている。
【００１８】
乗りかご７には開閉可能なかご戸８が設けられ、このかご戸８は摺動しながら開閉移動する構造であるため、かご戸８が閉じられた状態でもその摺動部の近傍から乗りかご７の内外が連通し、気圧制御装置９による気圧制御効率を低下させてしまう。そこで、乗りかご７におけるかご戸８の近傍は、次に説明するような気密構造としている。なお、かご戸８の下部側には、かご戸８の短手方向に延在して設けられた複数の開口２３が配置されている。
【００１９】
図３は、図１に示す乗りかご７におけるかご戸８の下部を示す一部断面図である。所定の距離を隔てて対向配置された一対のパネル部材１０ａ，１０ｂ間の下方部には、両パネル部材１０ａ，１０ｂの幅方向両端部にまで延びて形成された補強部材１１と、補強部材１１のさらに下方部にまで延びたブラケット固定板１２とが挟み込まれて、ボルト１３により固定されて、かご戸８が構成されている。
【００２０】
かご戸８の下部には、かご床１４およびかご床１４に連結されたかごシル１５が配置されている。このため、ブラケット固定板１２とかごシル１５間には対向隙間１６が形成され、パネル部材１０ｂとかご床１４間には対向隙間１７が形成されている。対向隙間１６によって、両パネル部材１０ａ，１０ｂ間に形成されている空間部１８と、図３の左方側である乗りかご７の外部とが連通されている。これに対して対向隙間１７によって、空間部１８と、図３の右方側である乗りかごの内部とが連通されている。
【００２１】
ブラケット固定板１２の下端部には、ブラケット固定板１２とほぼ同じ幅方向寸法を有するドアシューブラケット１９の上端部が水平方向に設けられた複数本のボルト２０によって固定されている。ドアシューブラケット１９の下端部には、対向隙間１６を通してかご戸８の下部に配置したドアシュー２１が一体的に結合されている。このドアシュー２１は、かごシル１５に形成されているガイド溝２２に沿って摺動しながら移動可能に嵌め込まれている。こうして、かご戸８は、ドアシュー２１がかごシル１５（ガイド溝２２）によって案内されながら、開閉動作可能に構成されている。
【００２２】
上述したブラケット固定板１２において、対向隙間１６の上部近傍に位置した部分には、詳細を後述するように複数の開口２３が形成されている。各開口２３によって空間部１８は、図３の左方側である乗りかご７の外部と連通されている。またパネル部材１０ｂの下部とかご床１４間に形成された対向隙間１７には、詳細を後述するが、かご戸８の閉状態において対向隙間１７を密閉可能な気密装置２４が配置されている。
【００２３】
図４は、上述した気密装置２４周辺の拡大図である。かご戸８の下方部には、上述したようにパネル部材１０ａのほぼ幅方向両端部にまで延びたブラケット固定板１２の下方端部に、ほぼ水平方向に配置された複数本のボルト２０によって取り付けられたドアシューブラケット１９が固定されている。
【００２４】
ブラケット固定板１２におけるドアシューブラケット１９の近傍には、ボルト２０と同様にその長手方向であるほぼ水平方向に離散的な複数個の上述した開口２３が形成されている。各開口２３は、乗りかごの外部と、パネル材１０ａ，１０ｂ間に形成されている空間部１８間をより積極的に連通するためのものである。この開口２３の形成によってブラケット固定板１２の機械強度が大きく低下しないように、開口２３の大きさ、形状、間隔などが決定されている。ブラケット固定板１２において、各開口２３を形成した全体的な幅方向の領域寸法は、気密装置２４の長手方向寸法とほぼ等しくされている。なお、図４では、気密装置２４を可撓性部材２５および折り返し部３１で示している。
【００２５】
これらの各開口２３は、望ましくはドアシューブラケット１９の上端部付近またはその近傍に位置した部分のブラケット固定板１２に、ドアシューブラケット１９の上端部に沿ってほぼ等間隔で離散的に形成するのが望ましい。このような位置に各開口２３を形成すると、対向隙間１６を通してドアシューブラケット１９の下方側が挿入されているために、対向隙間１６を通る気流が影響を受けて、最終的には気密装置２４の動作に悪影響を与えることがないように補うことができる。
【００２６】
つまり、各開口２３が存在しない場合、ドアシューブラケット１９によって対向隙間１６を通る気流が妨げられており、後述するように対向隙間１７に構成した気密装置２４が影響を受けることになる。各開口２３が形成されていない場合、対向隙間１６を通る風力または風速の影響によって気密装置２４は、その長手方向で一様に変形しないために振動を起こし、同部近傍から振動音（異常音）を発生させてしまう。
【００２７】
しかしながら、上述したように乗りかご７の外部と、パネル材１０ａ，１０ｂ間に形成されている空間部１８間を連通する開口２３が形成されている。このため、対向隙間１６にドアシューブラケット１９が存在していても、対向隙間１７に配置した気密装置２４（折り返し部３１）は、開口２３を通る気流によってその幅方向全体で一様に動作するようになり、同部での振動が抑制され、振動音（異常音）の発生が防止される。
【００２８】
かご戸８の下部構造について、図５も参照して、詳細に説明する。図５は、パネル部材１０ａの正面図（Ａ−Ａ’方向矢視図）である。気密装置２４は、かご戸８における下端の幅方向全体に渡って延在すると共に、図２に示す気圧制御装置９による乗りかご７内の加圧及び減圧に応じて弾性変形して、対向隙間１７を密閉することになる可撓性部材２５と折り返し部３１（図４参照）を備えている。また気密装置２４は、Ｌ字状の断面形状を有してパネル部材１０ｂの下端内側に固定されたブラケット２６を介して、パネル部材１０ｂにボルト固定等により固定されている。
【００２９】
上述した可撓性部材２５は、乗りかご７の内側に折り返し部を配置した断面略くの字状の折り返し部３１を有している。可撓性部材２５における断面略くの字状の折り返し部３１は、パネル部材１０ｂの下部とかご床１４間に形成された対向隙間１７における図４の右方側である乗りかご７の内側に配置されている。この可撓性部材２５の上端部は、必要な取り付け強度を有しているが、断面略くの字状の折り返し部３１は、図２に示した気圧制御装置９による乗りかご７内の加圧及び減圧に応じて支障なく弾性変形可能な可撓性を有して形成されている。
【００３０】
乗りかご７のかご戸８が閉じられた状態で、図２に示す気圧制御装置９によって乗りかご７内が加圧されると、可撓性部材２５とかご床１４間の対向隙間１７では、乗りかご７の内側から外側に向かって流れる気流が形成される。このときの風圧および風速の影響を受けて、断面略くの字状の折り返し部３１の開放側端部は広げられ、対向隙間１７を塞いで同部が密閉状態となる。その後、乗りかご７の内側と外側の差圧により、断面略くの字状の折り返し部３１は同状態が保持されて対向隙間１７の気密性が保たれる。
【００３１】
一方、図２に示す気圧制御装置９によって乗りかご７内を減圧すると、可撓性部材２５における断面略くの字状の折り返し部３１とかご床１４間の対向隙間１７では、外側から乗りかご７の内側に向かう気流が形成される。このとき、開口２３が存在しない場合、乗りかご７の外部から流れ込む気流は、対向隙間１６に配置されているドアシューブラケット１９の存在によって影響を受けるため、可撓性部材２５における断面略くの字状の折り返し部３１の長手方向では変形にばらつきが発生する可能性がある。
【００３２】
しかしながら、上述したようにブラケット固定板１２には所定の間隔で複数の開口２３が形成されており、開口２３によって乗りかご７の外部と、パネル部材１０ａ，１０ｂ間に形成されている空間部１８が連通されている。このため、ドアシューブラケット１９による悪影響を受けずに開口２３から空間部１８を通して対向隙間１７を通過する気流が効果的に、かつ、断面略くの字状の折り返し部３１の長手方向全体に形成される。
【００３３】
従って、断面略くの字状の折り返し部３１は、対向隙間１７を通過して乗りかご７内に流入する気流の風速および風圧を受けて、可撓性部材２５における断面略くの字状の折り返し部３１の長手方向でばらつきが発生することなく、かつ、断面略くの字状の折り返し部３１の開放側端部が広げられて対向隙間１７を塞ぐことになり、気流が止められる。その後は、乗りかご７の内側と外側の差圧により、同状態が保持されて対向隙間１７の気密性が保たれる。
【００３４】
しかも、ブラケット固定板１２は、その下方部で長手方向に沿って離散的な複数の開口２３が形成された構成としているため、ブラケット固定板１２の機械強度を下げることがない。また、ブラケット固定板１２におけるドアシューブラケット１９との近傍に開口２３が形成されているため、対向隙間１６から気流を引き込んだ場合と余り変わらない方向性を持って、対向隙間１７に向かう気流を形成することができる。
【００３５】
このため、気密装置２４の可撓性部材２５における断面略くの字状の折り返し部３１は、乗りかご７内から外部に向かう気流による変形と同様に、乗りかご７の外部から内部に向かう気流によって効果的に変形させることができる。従って、気流の方向性に偏りがなく、いずれの場合でも、効果的に、かつ確実に断面略くの字状の折り返し部３１を変形させて、信頼性の高い密閉構造を得ることができる。
【００３６】
なお、開口２３のサイズが小さ過ぎると、圧力損失が大きくなって気流が形成されにくくなり、一方、開口２３のサイズが大き過ぎると、風は通るが風速が小さくなって気密装置２４の可撓性部材２５に加わる風力が小さくなってしまうので、これらを考慮して、開口２３の大きさ、形状、間隔などを決定するのが望ましい。
【００３７】
図２のような気圧制御装置付きエレベーター装置においては、走行時に乗りかご７を気密化して気圧制御を行うために気密装置２４が設けられている。かご戸８が摺動しながら開閉動作する構成であるため、この気密装置２４は、かご戸８の開閉動作時には密閉構造とすることはできず開放状態となり、一方、走行時には圧力差により発生する気流を利用して密閉状態としている。
【００３８】
この種の気圧制御装置付きエレベーター装置では、エレベーター最高速度時に上述した気圧制御装置９による乗りかご７の内外圧力差が小さくなるように制御しているため、気密装置２４の気密保持力が低下すると、同部に気流の流れが伴う対向隙間１７が発生し、かご外騒音がその対向隙間１７から進入して、乗りかご７内の騒音が増大してしまう。
【００３９】
しかし、本実施例によれば上述したように、対向隙間１６に配置されているドアシューブラケット１９による影響を受けることなく開口２３を通しての効果的に気流を形成することができる。このため、対向隙間１７に配置した気密装置２４は、乗りかご７内の気圧変動に対して応答性良く気密状態となり、乗りかご７内の密閉性を容易に確保することができる。従って、振動音（異常音）を発生させたり、外部からの騒音が進入したりするのを効果的に遮蔽することができる。
【００４０】
また、望ましい実施例では、ブラケット固定板１２におけるドアシューブラケット１９側の下部に複数の開口２３を形成した構成としているため、その大きさや数や間隔などを調整することによってブラケット固定板１２の機械強度を下げることがない。しかも、開口２３によって、対向隙間１６から気流を引き込んだ場合と余り変わらない方向性を持って、対向隙間１７に向かう気流を形成することができるため、気密装置２４の可撓性部材２５における断面略くの字状の折り返し部３１を効果的に、かつ確実に変形させて密閉構造を得ることができる。
【００４１】
一方、ドアシューブラケット１９に開口を形成することも考えられるが、対向隙間１６の狭い場所での使用となるためにドアシューブラケット１９の機械強度を低下させたり、他の構成にまで影響を及ぼしたりすることになってしまう。これに対して、ブラケット固定板１２の下方部に開口２３を形成すると、ドアシューブラケット１９としてはこれまでと同様のものを使用し、かご戸８の下端部のドアシュー２１をかごシル１５に形成されたガイド溝２２に沿って良好かつ確実に移動させることができると共に、簡易な構成にて信頼性の高い気密型のエレベーター装置を得ることができる。
【００４２】
なお、本実施例では気密装置２４として、図３および図５に示す構成のものを例示したが、対向隙間１７を流れる気流を利用して気密構造を得るようにした他の構成のものを使用することもできる。
【００４３】
以上説明したように、本発明のエレベーター装置は、ブラケット固定板１２に、可撓性部材２５の長手方向における変形をほぼ一様にするような気流を乗りかご７の外部から気密装置２４に向かって形成させるための開口２３を形成している。
【００４４】
このような構成によれば、対向隙間１６にドアシューブラケット１９が配置されていても開口２３を通して安定した気流を形成することができ、可撓性部材２５の長手方向における変形をほぼ一様にして、可撓性部材２５の長手方向全体で均一な変形を得ることができないことに起因する可撓性部材２５の振動によって振動音（異常音）が発生したり、また乗りかご７の外部から乗りかご７の内部への騒音を進入させたりすることを確実に防止することができる。
【００４５】
また、本発明は上述の構成に加えて、開口２３は、ブラケット固定板１２におけるドアシューブラケット１９側に、対向隙間１６の長手方向（かご戸８の短手方向）に沿って離散的に複数個形成している。
【００４６】
このような構成によれば、開口２３を形成することによるブラケット固定板１２の機械的強度を極端に下げることなく、対向隙間１６の長手方向に沿って複数個の開口２３を形成して、可撓性部材２５の長手方向における変形をほぼ一様にすることができる。
【００４７】
また、本発明は、上述の構成に加えて、可撓性部材２５は、乗りかご７の内側に折り返し部を配置した断面略くの字状の折り返し部３１を有したものとしている。
【００４８】
このような構成によれば、乗りかご７内の気圧制御を行うエレベーター装置において、乗りかご７内の気圧制御を行うために発生する気流を効果的に捉えて、断面略くの字状の折り返し部３１を確実に変形させて密閉状態を得ることができる。
【００４９】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００５０】
１…昇降路、２…機械室、３…巻上機、４…主ロープ、５…反らせプーリ、６…つり合いおもり、７…乗りかご、８…かご戸、９…気圧制御装置、１０ａ，１０ｂ…パネル部材、１１…補強部材、１２…ブラケット固定板、１３…ボルト、１４…かご床、１５…かごシル、１６…（第１の）対向隙間、１７…（第２の）対向隙間、１８…空間部、１９…ドアシューブラケット、２０…ボルト、２１…ドアシュー、２２…ガイド溝、２３…開口、２４…気密装置、２５…可撓性部材、２６…ブラケット、３１…折り返し部、３２…乗場ドア。
【図１】
2019006563.tif 000003
【図２】
2019006563.tif 000004
【図３】
2019006563.tif 000005
【図４】
2019006563.tif 000006
【図５】
2019006563.tif 000007